【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
1つまたは複数のトーンを介して送信すべきパイロットシンボルを含む1つまたは複数のトレーニングフィールドを有するフレームを生成し、
所与の帯域幅に関して定義された固定トーン位置のセットに基づいて前記1つまたは複数のトーンを決定し、
リソースユニット内の前記定義された固定トーン位置のうちの1つまたは複数の位置にある前記1つまたは複数のトーンに関するトーン位置を選択するように構成された処理システムと、
送信のために前記フレームを出力するように構成されたインターフェースとを備え、
前記所与の帯域幅は20MHzを含み、
26個または52個のトーンのリソースユニットの場合、前記固定トーン位置は、トーンインデックス±10、±22、±36、±48、±62、±76、±90、±102、および±116に対応するトーン位置から選択され、
106個または242個のトーンのリソースユニットの場合、前記固定トーン位置は、トーンインデックス±22、±48、±90、および±116に対応するトーン位置から選択される、装置。
【請求項２】
前記フレームは、シングルユーザ(SU)送信、1つまたは複数のアクセス端末へのマルチユーザ(MU)送信、あるいは直交周波数分割多元接続(OFDMA)送信としての送信のために出力される、請求項1に記載の装置。
【請求項３】
前記フレームは、前記1つまたは複数のトレーニングフィールドに続くデータ部分も有し、
前記1つまたは複数のトーンは、前記データ部分においてパイロットシンボルを送信するのに使用されるトーンに整合されない、請求項1に記載の装置。
【請求項４】
前記1つまたは複数のトレーニングフィールドは、基準シンボル長よりも長い第1のシンボル長に基づき、
前記1つまたは複数のトーンは、位置を定義するヌメロロジーおよび前記第1のシンボル長に基づくトーンの数に従って選択される、請求項1に記載の装置。
【請求項５】
前記フレームは、前記トレーニングフィールドに続くデータ部分も有し、
前記1つまたは複数のトーンは、前記データ部分において単一空間ストリーム(SSP)パイロットシンボルを送信するのに使用すべきトーンプランに従って選択される、請求項1に記載の装置。
【請求項６】
前記処理システムは、前記1つまたは複数のトーンのうちの少なくとも2つ上で送信されるパイロットに関するチャネルフィードバックを使用する補間に基づいて前記処理システムによって生成された少なくとも1つのエントリを有するプリコーディング行列を生成するように構成され、
前記フレームは、前記プリコーディング行列を使用するビームフォーミングを介した送信のために出力される、請求項1に記載の装置。
【請求項７】
前記少なくとも1つのエントリは、トーンインデックスnに対応し、
前記1つまたは複数のトーンのうちの前記少なくとも2つは、トーンインデックスn-1を有する第1のトーンと、トーンインデックスn+1を有する第2のトーンとを含む、請求項6に記載の装置。
【請求項８】
前記処理システムは、前記リソースユニットのサイズに基づいていくつかのトーンをパンクチャするようにさらに構成される、請求項1に記載の装置。
【請求項９】
前記処理システムは、帯域幅とは無関係に同じパンクチャリングルールを適用することによって前記いくつかのトーンをパンクチャするように構成され、前記パンクチャリングルールは、前記リソースユニットの前記サイズに基づく、請求項8に記載の装置。
【請求項１０】
前記パイロットシンボルは、単一ストリームパイロット(SSP)としての送信のために出力される、請求項1に記載の装置。
【請求項１１】
ワイヤレス通信のための装置であって、
1つまたは複数のトーンを介して送信すべきパイロットシンボルを含む1つまたは複数のトレーニングフィールドを有するフレームを生成し、
所与の帯域幅に関して定義された固定トーン位置のセットに基づいて前記1つまたは複数のトーンを決定し、
リソースユニット内の前記定義された固定トーン位置のうちの1つまたは複数の位置にある前記1つまたは複数のトーンに関するトーン位置を選択するように構成された処理システムと、
送信のために前記フレームを出力するように構成されたインターフェースとを備え、
前記所与の帯域幅は40MHzを含み、
26個または52個のトーンのリソースユニットの場合、前記固定トーン位置は、トーンインデックス±10、±24、±36、±50、±64、±78、±90、±104、±116、±130、±144、±158、±170、±184、±198、±212、±224、および±238に対応するトーン位置から選択され、
106個、242個、または484個のトーンのリソースユニットの場合、前記固定トーン位置は、トーンインデックス±10、±36、±78、±104、±144、±170、±212、および±238に対応するトーン位置から選択される、装置。
【請求項１２】
前記フレームは、シングルユーザ(SU)送信、1つまたは複数のアクセス端末へのマルチユーザ(MU)送信、あるいは直交周波数分割多元接続(OFDMA)送信としての送信のために出力される、請求項11に記載の装置。
【請求項１３】
前記フレームは、前記1つまたは複数のトレーニングフィールドに続くデータ部分も有し、
前記1つまたは複数のトーンは、前記データ部分においてパイロットシンボルを送信するのに使用されるトーンに整合されない、請求項11に記載の装置。
【請求項１４】
前記フレームは、前記トレーニングフィールドに続くデータ部分も有し、
前記1つまたは複数のトーンは、前記データ部分において単一空間ストリーム(SSP)パイロットシンボルを送信するのに使用すべきトーンプランに従って選択される、請求項11に記載の装置。
【請求項１５】
前記パイロットシンボルは、単一ストリームパイロット(SSP)としての送信のために出力される、請求項11に記載の装置。
【請求項１６】
ワイヤレス通信のための装置であって、
1つまたは複数のトーンを介して送信すべきパイロットシンボルを含む1つまたは複数のトレーニングフィールドを有するフレームを生成し、
所与の帯域幅に関して定義された固定トーン位置のセットに基づいて前記1つまたは複数のトーンを決定し、
リソースユニット内の前記定義された固定トーン位置のうちの1つまたは複数の位置にある前記1つまたは複数のトーンに関するトーン位置を選択するように構成された処理システムと、
送信のために前記フレームを出力するように構成されたインターフェースとを備え、
前記所与の帯域幅は80MHzを含み、
26個または52個のトーンのリソースユニットの場合、前記固定トーン位置は、トーンインデックス±10、±24、±38、±50、±64、±78、±92、±104、±118、±130、±144、±158、±172、±184、±198、±212、±226、±238、±252、±266、±280、±292、±306、±320、±334、±346、±360、±372、±386、±400、±414、±426、±440、±454、±468、±480、および±494に対応するトーン位置から選択され、
106個、242個、または484個のトーンのリソースユニットの場合、前記固定トーン位置は、トーンインデックス±24、±50、±92、±118、±158、±184、±226、±252、±266、±292、±334、±360、±400、±426、±468、および±494に対応するトーン位置から選択され、
996個のトーンのリソースユニットの場合、前記固定トーン位置は、トーンインデックス±24、±92、±158、±226、±266、±334、±400、および±468に対応するトーン位置から選択される、装置。
【請求項１７】
前記1つまたは複数のトレーニングフィールドは、基準シンボル長よりも長い第1のシンボル長に基づき、
前記1つまたは複数のトーンは、位置を定義するヌメロロジーおよび前記第1のシンボル長に基づくトーンの数に従って選択される、請求項16に記載の装置。
【請求項１８】
前記処理システムは、前記1つまたは複数のトーンのうちの少なくとも2つ上で送信されるパイロットに関するチャネルフィードバックを使用する補間に基づいて前記処理システムによって生成された少なくとも1つのエントリを有するプリコーディング行列を生成するように構成され、
前記フレームは、前記プリコーディング行列を使用するビームフォーミングを介した送信のために出力される、請求項16に記載の装置。
【請求項１９】
前記処理システムは、前記リソースユニットのサイズに基づいていくつかのトーンをパンクチャするようにさらに構成される、請求項16に記載の装置。
【請求項２０】
ワイヤレス通信のための装置であって、
1つまたは複数のトーンを介して送信すべきパイロットシンボルを含む1つまたは複数のトレーニングフィールドを有するフレームを生成し、
所与の帯域幅に関して定義された固定トーン位置のセットに基づいて前記1つまたは複数のトーンを決定し、
リソースユニット内の前記定義された固定トーン位置のうちの1つまたは複数の位置にある前記1つまたは複数のトーンに関するトーン位置を選択するように構成された処理システムと、
送信のために前記フレームを出力するように構成されたインターフェースとを備え、
前記リソースユニットは第1のサイズを有し、
前記処理システムは、前記第1のサイズよりも小さい第2のサイズのリソースユニット内のトーン位置に整合する前記リソースユニット内の前記定義された固定トーン位置のうちの前記1つまたは複数のトーン位置にある前記1つまたは複数のトーンに関するトーン位置を選択するように構成される、装置。
【請求項２１】
前記フレームは、シングルユーザ(SU)送信、1つまたは複数のアクセス端末へのマルチユーザ(MU)送信、あるいは直交周波数分割多元接続(OFDMA)送信としての送信のために出力される、請求項20に記載の装置。
【請求項２２】
前記処理システムは、前記リソースユニットのサイズに基づいていくつかのトーンをパンクチャするようにさらに構成される、請求項20に記載の装置。
【請求項２３】
前記パイロットシンボルは、単一ストリームパイロット(SSP)としての送信のために出力される、請求項20に記載の装置。
【請求項２４】
ワイヤレス通信のための装置であって、
1つまたは複数のトーンを介して送信すべきパイロットシンボルを含む1つまたは複数のトレーニングフィールドを有するフレームを生成し、
所与の帯域幅に関して定義された固定トーン位置のセットに基づいて前記1つまたは複数のトーンを決定し、
リソースユニット内の前記定義された固定トーン位置のうちの1つまたは複数の位置にある前記1つまたは複数のトーンに関するトーン位置を選択するように構成された処理システムと、
送信のために前記フレームを出力するように構成されたインターフェースとを備え、
前記リソースユニットは第1のサイズを有し、
前記処理システムは、前記第1のサイズよりも小さい第2のサイズの第2のリソースユニット内のトーン位置から、前記リソースユニット内の前記定義された固定トーン位置のうちの1つまたは複数のトーン位置にある前記1つまたは複数のトーンに関するトーン位置を選択するように構成される、装置。
【請求項２５】
前記フレームは、前記1つまたは複数のトレーニングフィールドに続くデータ部分も有し、
前記1つまたは複数のトーンは、前記データ部分においてパイロットシンボルを送信するのに使用されるトーンに整合されない、請求項24に記載の装置。
【請求項２６】
前記処理システムは、前記リソースユニットのサイズに基づいていくつかのトーンをパンクチャするようにさらに構成される、請求項24に記載の装置。
【請求項２７】
前記パイロットシンボルは、単一ストリームパイロット(SSP)としての送信のために出力される、請求項24に記載の装置。
【請求項２８】
ワイヤレス通信のための方法であって、
1つまたは複数のトーンを介して送信すべきパイロットシンボルを含む1つまたは複数のトレーニングフィールドを有するフレームを生成するステップであって、
前記1つまたは複数のトレーニングフィールドは、基準シンボル長よりも長い第1のシンボル長に基づき、
前記1つまたは複数のトーンは、位置を定義するヌメロロジーおよび前記第1のシンボル長に基づくトーンの数に従って選択される、ステップと、
送信のために前記フレームを出力するステップとを含む、方法。
【請求項２９】
前記フレームは、シングルユーザ(SU)送信、1つまたは複数のアクセス端末へのマルチユーザ(MU)送信、あるいは直交周波数分割多元接続(OFDMA)送信としての送信のために出力される、請求項28に記載の方法。
【請求項３０】
前記フレームは、前記1つまたは複数のトレーニングフィールドに続くデータ部分も有し、
前記1つまたは複数のトーンは、前記データ部分においてパイロットシンボルを送信するのに使用されるトーンに整合されない、請求項28に記載の方法。